(57)【要約】【課題】  梱包品の厚みに応じて箱の厚みを変えることができる梱包箱を提供する。【解決手段】  １枚のシート部材に、四角形状の底部１と、この底部の四辺にそれぞれ折り曲げ可能に設けられた第１〜第４側部２〜５と、第４側部５に折り曲げ可能に設けられた蓋部６とを設け、第１〜第４側部２〜５と蓋部６とに、第１、第２折り目線８、９をそれぞれ一定間隔Ｓ１で底部１の各辺に対し平行に設けた。従って、底部１の四辺に対し第１〜第４側部２〜５をほぼ垂直に折り曲げて起立させ、この状態で商品の厚みに対応する第１、第２折り目線８、９のいずれかを選択して、第１〜第４側部２〜５および蓋部６を折り曲げることにより、商品の厚みに応じて箱の厚みを変えることができ、これにより商品の厚みが異なっても１つの梱包箱で兼用することができる。【選択図】        図３
2008013218.tif 000002
【特許請求の範囲】
【請求項１】
１枚のシート部材に、四角形状の底部と、この底部の四辺にそれぞれ折り曲げ可能に設けられた４つの側部と、この４つの側部のうち、１つの側部に折り曲げ可能に設けられた蓋部とを設け、前記底部の四辺に対し前記４つの側部をほぼ垂直に折り曲げて起立させ、この状態で前記１つの側部に対し前記蓋を折り曲げて前記底部に対向させることにより、箱状に形成される梱包箱であって、
前記４つの側部と前記蓋部とに、折り曲げ位置を変更するための折り目線を、それぞれ一定間隔で前記底部の各辺に対し平行に複数本づつ設けたことを特徴とする梱包箱。
【請求項２】
前記蓋部と反対側に位置する前記底部の辺部側には、これに連続する前記側部に跨って舌片部が切り込みによって設けられていると共に、この側部の前記底部に対する折り曲げ部分における前記舌片部の両側には、係止孔が設けられており、
前記底部と反対側に位置する前記蓋部の辺部には、前記係止孔に挿入する差込み部が設けられ、且つこの差込み部には、前記舌片部が挿入する舌係止孔が前記折り目線の間隔の２倍の間隔で複数設けられていると共に、この複数の舌係止孔に対応して複数の差込み折り目線が設けられていることを特徴とする請求項１に記載の梱包箱。
【請求項３】
梱包箱に収納される梱包品の空き空間を埋めて前記梱包品を保持するための梱包用スペーサであって、
１枚のシート部材に、前記梱包箱内に配置される四角形状の本体部と、この本体部の両側部にそれぞれ折り曲げ可能に設けられて前記本体部の両側上面に配置される台座部と、この台座部と異なる前記本体部の辺部にそれぞれ折り曲げ可能に設けられて前記台座部上に配置される４つの可変載置部とを設け、
前記４つの可変載置部の各先端部にはそれぞれ係合片が設けられていると共に、これら４つの可変載置部には、折り曲げ位置を変更して前記台座部に対する設置高さを変えるための複数の折り目線がそれぞれ所定間隔で設けられ、前記台座部には前記４つの可変載置部の前記係合片が前記可変載置部の高さに応じて挿入する複数の係止孔が所定間隔で設けられていることを特徴する梱包用スペーサ。
【請求項４】
前記台座部は、前記本体部の両側部に折り曲げ可能に設けられた第１立上り部と、この第１立上り部に折り曲げ可能に設けられて前記可変載置部が配置される固定載置部と、この固定載置部に折り曲げ可能に設けられた第２立上り部と、この第２立上り部に折り曲げ可能に設けられた底板部とを有し、前記固定載置部に前記複数の係止孔がそれぞれ所定間隔で設けられていることを特徴とする請求項３に記載の梱包用スペーサ。
【発明の詳細な説明】
【技術分野】
【０００１】
この発明は、商品などの品物を梱包する梱包箱および梱包箱に収納される商品の空き空間を埋めて商品を保持する梱包用スペーサに関する。
【背景技術】
【０００２】
従来、電気製品などの商品を梱包する梱包箱においては、特許文献１に記載されているように、１枚の段ボールに、四角形状の底部と、この底部の３辺にそれぞれ折り曲げ可能に設けられた３つの側部と、この３つの側部のうち、互いに対向する２つの側部の間に位置する１つの側部に折り曲げ可能に設けられた蓋部と、この蓋部に折り曲げ可能に設けられた４つ目の側部とを設け、３つの側部を底部に対しほぼ垂直に折り曲げて起立させ、この状態で蓋部を折り曲げて底部に平行に対面させた上、この蓋部に対し４つ目の側部を折り曲げて３つの側部と同様に起立させることにより、箱状に形成するようにしたものがある。
【特許文献１】特開平１１−２０８６３９号
【０００３】
また、このような梱包箱に収納される商品の空き空間を埋めるための梱包用スペーサとしては、特許文献２に記載されているように、１枚の段ボールに、本体部と、この本体部の両側にそれぞれ２つに折り曲がって三角形の筒状をなす一対の脚部とを設け、この一対の脚部の各先端にそれぞれ係合片を設けると共に、本体部に係合片がそれぞれ挿入する複数の係止孔を所定間隔で設け、本体部に設けられた複数の係止孔のいずれかに脚部の係合片を挿入させることにより、三角形状の脚部の高さを変えて梱包箱内の深さを変更するように構成したものがある。
【特許文献２】特開２００１−３２８６７８号
【発明の開示】
【発明が解決しようとする課題】
【０００４】
しかしながら、上述した前者の梱包箱では、商品の厚みに応じて、予め梱包箱の厚みが設定されているため、商品をぴったり収納することはできても、商品の種類によって厚みが異なる場合、その商品の厚み応じた高さの梱包箱がそれぞれ必要になり、このため梱包箱の種類が多く、梱包箱の管理およびその製作が煩雑で面倒であるという問題がある。
【０００５】
また、上述した後者の梱包用スペーサでは、本体部に設けられた複数の係止孔のいずれかに脚部の係合片を挿入することにより、三角形状の脚部の高さを変えて梱包箱内の深さを変更することはできるが、２つの脚部の各稜線で梱包する商品を保持するため、商品の重量が２つの脚部における各稜線の直線部分に集中することになり、このため商品を安定した状態で良好に保持することができないという問題がある。
【０００６】
この発明が解決しようとする第１の課題は、梱包品の厚みに応じて箱の厚みを変えることができる梱包箱を提供することである。
また、この発明の第２の課題は、梱包品の重量を平面で受け止めることにより、安定した状態で梱包箱内の梱包品の空き空間を埋めて良好に梱包品を保持することができる梱包用スペーサを提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図８に示すように、１枚のシート部材に、四角形状の底部（１）と、この底部の四辺にそれぞれ折り曲げ可能に設けられた４つの側部（第１〜第４側部２〜５）と、この４つの側部のうち、１つの側部（第４側部５）に折り曲げ可能に設けられた蓋部（６）とを設け、前記底部の四辺に対し前記４つの側部をほぼ垂直に折り曲げて起立させ、この状態で前記１つの側部に対し前記蓋を折り曲げて前記底部に対向させることにより、箱状に形成される梱包箱であって、
前記４つの側部と前記蓋部とに、折り曲げ位置を変更するための折り目線（第１、第２折り目線８、９）を、それぞれ一定間隔（Ｓ１）で前記底部の各辺に対し平行に複数本づつ設けたことを特徴とする梱包箱である。
【０００９】
請求項２に記載の発明は、図１〜図８に示すように、前記蓋部（６）と反対側に位置する前記底部（１）の辺部側に、これに連続する前記側部（第１側部２）に跨って舌片部（１０）が切り込みによって設けられていると共に、この側部の前記底部に対する折り曲げ部分における前記舌片部の両側には、係止孔（差込み係止孔１１）が設けられており、
前記底部と反対側に位置する前記蓋部の辺部には、前記係止孔に挿入する差込み部（１２）が設けられ、且つこの差込み部には、前記舌片部が挿入する舌係止孔（第１、第２舌係止孔１３、１４）が前記折り目線（第１、第２折り目線８、９）の間隔（Ｓ１）の２倍の間隔（Ｓ２）で複数設けられていると共に、この複数の舌係止孔に対応して複数の差込み折り目線（第１、第２差込み折り目線１５、１６）が設けられていることを特徴とする請求項１に記載の梱包箱である。
【００１０】
請求項３に記載の発明は、図９〜図１４に示すように、梱包箱（２１）に収納される梱包品の空き空間を埋めて前記梱包品を保持するための梱包用スペーサ（２０）であって、
１枚のシート部材に、前記梱包箱内に配置される四角形状の本体部（２２）と、この本体部の両側部にそれぞれ折り曲げ可能に設けられて前記本体部の両側上面に配置される台座部（第１、第２台座部２３、２４）と、この台座部と異なる前記本体部の辺部にそれぞれ折り曲げ可能に設けられて前記台座部上に配置される４つの可変載置部（第１〜第４可変載置部２５〜２８）とを設け、
前記４つの可変載置部の各先端部にはそれぞれ係合片（第１〜第４係合片２５ｂ〜２８ｂ）が設けられていると共に、これら４つの可変載置部には、折り曲げ位置を変更して前記台座部に対する設置高さを変えるための複数の折り目線（第１、第２折り目線３５、３６）がそれぞれ所定間隔（Ｓ４）で設けられ、前記台座部には前記４つの可変載置部の前記係合片が前記可変載置部の高さに応じて挿入する複数の係止孔（第１、第２位置規制孔３１、３２）が所定間隔（Ｓ３）で設けられていることを特徴する梱包用スペーサである。
【００１１】
請求項４に記載の発明は、図９〜図１４に示すように、前記台座部（第１、第２台座部２３、２４）が、前記本体部（２２）の両側部に折り曲げ可能に設けられた第１立上り部（２３ａ、２４ａ）と、この第１立上り部に折り曲げ可能に設けられて前記可変載置部が配置される固定載置部（２３ｂ、２４ｂ）と、この固定載置部に折り曲げ可能に設けられた第２立上り部（２３ｃ、２４ｃ）と、この第２立上り部に折り曲げ可能に設けられた底板部（２３ｄ、２４ｄ）とを有し、前記固定載置部に前記複数の係止孔（第１、第２位置規制孔３１、３２）がそれぞれ所定間隔（Ｓ３）で設けられていることを特徴とする請求項３に記載の梱包用スペーサである。
【発明の効果】
【００１２】
請求項１に記載の発明によれば、１枚のシート部材に設けられた四角形状の底部の四辺に対し４つの側部をほぼ垂直に折り曲げて起立させ、この状態で４つの側部および蓋部を複数の折り目線のいずれかで折り曲げて箱状に形成するときに、折り曲げ位置を変更するための折り目線が、４つの側部と蓋部とにそれぞれ一定間隔で底部の各辺に対し平行に複数本づつ設けられているので、この複数の折り目線のうち、梱包品の厚みに対応する折り目線を選択し、この選択した折り目線で４つの側部および蓋部を折り曲げることができ、これにより梱包品の厚みに応じて箱の厚みを変えることができる。このため、梱包品の厚みが異なっても１つの梱包箱で兼用することができ、梱包箱の管理およびその製作を簡素化することができる。
【００１３】
請求項２に記載の発明によれば、四角形状の底部の四辺にそれぞれ設けられた４つの側部をほぼ垂直に折り曲げて起立させた上、この４つの側部および蓋部を複数の折り目線のいずれかで折り曲げて箱状に形成し、この状態で蓋部の先端側の辺部に設けられた差込み部を、底部側に位置する側部の折り曲げ部分に設けられた係止孔に差し込んだ後、底部の辺部側に設けられた舌片部を、差込み部に設けられた舌係止孔に挿入することにより、蓋部を底部に対し確実に固定することができる。
【００１４】
このとき、梱包品の厚みに応じて複数の折り目線のいずれかを選択し、この選択した折り目線で４つの側部および蓋部をそれぞれ折り曲げて、箱の厚みを設定した場合には、差込み部に設けられた複数の差込み折り目線のうち、箱の厚みに対応する差込み折り目線で差込み部を折り曲げることにより、差込み部を底部側に位置する側部の係止孔に確実に差し込むことができると共に、差込み部に設けられた複数の舌係止孔のうち、箱の厚みに対応する舌係止孔に底部の辺部側の舌片部を挿入させることができる。これにより、箱の厚みを変えても、蓋部を底部に対し確実に固定することができる。
【００１５】
請求項３に記載の発明によれば、１枚のシート部材に設けられた四角形状の本体部の両側上面に台座部をそれぞれ折り曲げて配置し、この状態で台座部と異なる本体部の辺部に設けられた４つの可変載置部をそれぞれ複数の折り目線のいずれかで折り曲げて台座部上に配置し、この状態で４つの可変載置部の各先端部にそれぞれ設けられた係合片を、台座部に設けられた複数の係止孔のいずれかに差し込むことにより、台座部上に４つの可変載置部を配置することができ、これにより４つの可変載置部の上面に梱包品を配置することができるので、梱包品の重量を４つの可変載置部の各平面で受け止めることができ、これにより梱包品を安定した状態で良好に保持することができる。
【００１６】
この場合、４つの可変載置部をそれぞれ折り曲げるときに、４つの可変載置部に設けられた複数の折り目線のいずれかを選択し、この選択した折り目線で４つの可変載置部をそれぞれ同じ高さになるように折り曲げて、その各先端部に設けられた各係合片を台座部に設けられた複数の係止孔のいずれかに差し込むことにより、台座部上に配置される４つの可変載置部の高さをそれぞれ複数の折り目線によって変更することができ、これにより梱包箱に収納する梱包品の空き空間を良好に埋めることができる。
【００１７】
請求項４に記載の発明によれば、台座部が、本体部の両側部に折り曲げ可能に設けられた第１立上り部と、この第１立上り部に折り曲げ可能に設けられて可変載置部が配置される固定載置部と、この固定載置部に折り曲げ可能に設けられた第２立上り部と、この第２立上り部に折り曲げ可能に設けられた底板部とを有しているので、底板部を第２立上り部で折り曲げて固定載置部に対向させ、この固定載置部を第１立上り部で折り曲げて本体部の両側上面に対向させると、底板部が本体部の上面に配置されると共に、固定載置部が第１、第２立上り部で支持された状態で本体部の上方に配置されることにより、台座部を強固に形成することができると共に、この台座部内に空間を形成することができる。
【００１８】
このため、固定載置部に設けられた複数の係止孔のいずれかに可変載置部の係合片を差し込むことにより、可変載置部を強固に固定することができると共に、この可変載置部の係合片が台座部内の空間に挿入されるので、可変載置部の係合片が邪魔にならないばかりか、可変載置部の係合片を台座部の底板部に当接させることにより、可変載置部の高さが変化しないように確実に且つ強固に可変載置部を保持することができる。
【発明を実施するための最良の形態】
【００１９】
（実施形態１）
以下、図１〜図８を参照して、この発明を適用した梱包箱の一実施形態について説明する。図１はこの発明の梱包箱の展開図、図２〜図５および図７はその梱包箱を組立てる状態を示した各斜視図、図６および図８はそれぞれ厚みを変えた状態の梱包箱を示した各斜視図である。
この梱包箱は、段ボールや厚紙、または合成樹脂製のフィルムなどの１枚のシート部材に、図１に示すように、四角形状の底部１と、この底部１の四辺にそれぞれ折り曲げ可能に設けられた第１〜第４側部２〜５と、この第１〜第４側部２〜５のうち、第４側部５に折り曲げ可能に設けられた蓋部６とを設けた構成なっている。
【００２０】
この場合、底部１の左右両側に位置する第１、第２側部２、３は、図１に示すように、それぞれ側面部２ａ、３ａと、折返し部２ｂ、３ｂと、前面補強部２ｃ、３ｃと、後面補強部２ｄ、３ｄとを有している。すなわち、側面部２ａ、３ａは底部１の左右辺にそれぞれ折り曲げ可能に設けられており、前面補強部２ｃ、３ｃおよび後面補強部２ｄ、３ｄは側面部２ａ、３ａの前後辺にそれぞれ折り曲げ可能に設けられていると共に、その長さが底部１の左右辺の長さの半分の長さよりも少し長く形成され、その各先端側に切込み溝７がそれぞれ設けられている。また、側面部２ａ、３ａと折返し部２ｂ、３ｂとの間には、折り曲げ位置を変更するための第１、第２折り目線８、９が所定間隔Ｓ１で底部１の左右辺と平行に設けられている。
【００２１】
また、底部１の前側に位置する第３側部４は、図１に示すように、側面部４ａと折返し部４ｂとを有している。側面部４ａは底部１の前辺に折り曲げ可能に設けられている。この側面部４ａと折返し部４ｂとの間には、第１、第２側部２、３と同様、折り曲げ位置を変更するための第１、第２折り目線８、９が設けられている。すなわち、この第３側部４の第１、第２折り目線８、９は、第１、第２側部２、３の第１、第２折り目線８、９に対応する同じ位置に、同じ間隔Ｓ１で底部１の前辺と平行に設けられている。この場合、底部１の前辺側には、第３側部４の側面部４ａに跨って舌片部１０が切込みによって設けられている。また、底部１に対する第３側部４の折り曲げ部における舌片部１０の両側には、スリット状の差込み係止孔１１が設けられている。
【００２２】
また、底部１の後側に位置する第４側部５は、図１に示すように、第３側部４の側面部４ａとほぼ同じ大きさに形成され、底部１の後辺に折り曲げ可能に設けられている。この第４側面部５には、蓋部６が折り曲げ可能に設けられている。この第４側部５と蓋部６との間にも、第１〜第３側部２〜４と同様、折り曲げ位置を変更するための第１、第２折り目線８、９が設けられている。この第４側部５の第１、第２折り目線８、９も、第１〜第３側部２〜４の第１、第２折り目線８、９に対応する同じ位置に、同じ間隔Ｓ１で底部１の後辺と平行に設けられている。
【００２３】
さらに、この第４側面部５に折り曲げ可能に設けられた蓋部６は、底板１とほぼ同じ大きさに形成されている。この蓋部６における底部１と反対側に位置する辺部には、差込み部１２が設けられている。この蓋部６と差込み部１２との間にも、第１〜第４側部２〜５と同様、折り曲げ位置を変更するための第１、第２折り目線８、９が設けられている。この蓋部６の第１、第２折り目線８、９は、第４側部５の第１、第２折り目線８、９から底部１と同じ長さだけ離れた位置に、第１〜第４側部２〜５の第１、第２折り目線８、９と同じ間隔Ｓ１で底部１の後辺と平行に設けられている。
【００２４】
また、差込み部１２は、図１に示すように、前面部１２ａと差込み片１２ｂと有している。前面部１２ａは、第３側部４に対応する大きさに形成されている。また、差込み片１２ｂは、前面部１２ａにおける底部１と反対側に位置する辺部のほぼ中間部分に設けられ、その先端側が緩やかに傾斜する山形状に形成されている。この差込み片１２ｂには、第３側部４側の舌片部１０が挿入するスリット状の第１、第２舌係止孔１３、１４が設けられている。この第１、第２舌係止孔１３、１４は、第１〜第４側部２〜５および蓋部６に設けられた第１、第２折り目線８、９の間隔Ｓ１の２倍の間隔Ｓ２（＝２×Ｓ１）で設けられている。
【００２５】
また、この差込み片１２ｂには、図１に示すように、差込み片１２ｂの折り曲げ位置を変更するための第１、第２差込み折り目線１５、１６が第１、第２舌係止孔１３、１４に対応して設けられている。この第１、第２差込み折り目線１５、１６も、底部１の後辺と平行に形成されている。なお、第１、第２舌係止孔１３、１４のうち、底部１側に位置する第１舌係止孔１３には、指を挿入させて舌片部１０を第１舌係止孔１３から抜き出すための半円形状の切抜き部１７が設けられており、第１、第２舌係止孔１３、１４間にも、指を挿入させて舌片部１０を第２舌係止孔１４から抜き出すための鼓形状の切抜き部１８が設けられている。
【００２６】
次に、図２〜図８を参照して、この梱包箱を組立てる場合について説明する。
まず、図２に示すように、第１、第２側部２、３を底部１の左右両側辺に対しほぼ垂直に折り曲げて起立させる。すなわち、第１、第２側部２、３の各側面部２ａ、３ａを底部１の左右辺でそれぞれ折り曲げて起立させる。このときには、図２に示すように、各折返し部２ｂ、３ｂも各側面部２ａ、３ａと共に起立する共に、各前面補強部２ｃ、３ｃと各後面補強部２ｄ、３ｄとも底部１の前後方向に突出した状態で起立する。
【００２７】
この状態で、図２に示すように、各前面補強部２ｃ、３ｃを各側面部２ａ、３ａの前辺部で水平方向にほぼ９０度折り曲げて、底部１の前辺上に対応させて起立させると共に、各前面補強部２ｃ、３ｃの各先端側に設けられた切込み溝７同士を噛み合わせる。同様に、各後面補強部２ｄ、３ｄを各側面部２ａ、３ａの後辺部で水平方向にほぼ９０度折り曲げて、底部１の後辺上に対応させて起立させると共に、各後面補強部２ｄ、３ｄの各先端側に設けられた切込み溝７同士を噛み合わせる。
【００２８】
この後、図３に示すように、第３、第４側部４、５を底部１前後辺に対しほぼ垂直に折り曲げて起立させる。すなわち、第３側部４の各側面部４ａを底部１の前辺で折り曲げて起立させる。このときには、第３側部４の折返し部４ｂも側面部４ａと共に起立する。この状態では、第３側部４側に位置する底部１に設けられた舌片部１０の先端側が底部１の前辺から前方に突出する。また、第４側部５は、底部１の後辺で折り曲げられて起立し、この第４側部５に連続する蓋部６および差込み部１２も、第４側部５と共に起立する。
【００２９】
この状態では、上面側が開放されたほぼ箱状に形成されているので、その内部に商品を収納することができる。そして、第１〜第４側部２〜５を第１、第２折り目線８、９のいずれかで折り曲げる。このとき、梱包する商品、例えば電子式卓上計算機やその取扱い説明書などの商品全体の厚みが薄く、第１、第２折り目線８、９のうち、例えば商品全体の厚みが第１折り目線８に対応する場合には、この第１折り目線８で第１〜第４側部２〜５を折り曲げる。この場合には、まず、図４に示すように、第３側部４を側面部４ａと折返し部４ｂとの間に位置する第１折り目線８で折り曲げて、第１、第２側部２、３の各前面補強部２ｃ、３ｃを側面部４ａと折返し部４ｂとで挟み込む。
【００３０】
この後、図４に示すように、第１、第２側部２、３を各側面部２ａ、３ａと各折返し部２ｂ、３ｂとの間に位置する第１折り目線８で折り曲げ、各折返し部２ｂ、３ｂを底部１に対し平行になるように折り曲げて、各折返し部２ｂ、３ｂを底部１の上方に配置する。この状態で、第４側部５をこれと蓋部６との間に位置する第１折り目線８で折り曲げて、図５に示すように、蓋部６を底部１の上方に対応させて配置する。このときには、蓋部６の先端に設けられた差込み部１２が第３側部４の側面部４ａから前方に突出する。
【００３１】
この状態で、図６に示すように、差込み部１２を蓋部６と前面部１２ａとの間に位置する第１差込み折り目線１５で折り曲げて、前面部１２ａを第３側部４の側面部４ａに対応させる。この後、差込み片１２ｂを第１舌係止孔１３に位置する第１折り目線８で折り曲げ、この折り曲げられた差込み片１２ｂを第３側部４に設けられたスリット状の差込み係止孔１１に差し込む。そして、第３側部４に設けられた舌片部１０を差込み片１２ｂの第１舌係止孔１３に挿入させる。これにより、図６に示すように、蓋部６が閉じて底部１に対し固定された厚みの薄い梱包箱が形成される。
【００３２】
一方、電子式卓上計算機やその取扱い説明書などの商品全体の厚みが厚く、第１、第２折り目線８、９のうち、例えば商品全体の厚みが第２折り目線９に対応する場合には、図３に示す状態で、第１〜第４側部２〜５を第２折り目線９で折り曲げる。この場合には、厚み厚い商品を箱内に収納して、第１折り目線８で折り曲げたときと同様、第１〜第４側部２〜５を第２折り目線９で折り曲げた後、第４側部５を第２折り目線９で折り曲げると、これに連続する蓋部６が第１、第２折り目線８、９の間隔Ｓ１だけ後方にずれるので、図７に示すように、この蓋部６と差込み部１２との間に位置する第２折り目線９が第３側部４に対応する。
【００３３】
この状態で、差込み部１２を蓋部６と前面部１２ａとの間に位置する第２折り目線９で折り曲げると、図８に示すように、前面部１２ａを第３側部４の側面部４ａに対応する。この後、差込み片１２ｂを第２舌係止孔１４に位置する第２差込み折り目線１６で折り曲げ、この折り曲げられた差込み片１２ｂを第３側部４に設けられたスリット状の差込み係止孔１１に差し込む。そして、第３側部４に設けられた舌片部１０を差込み片１２ｂの第２舌係止孔１４に挿入させる。これにより、図８に示すように、蓋部６が閉じて底部１に対し固定された厚みの厚い梱包箱が形成される。
【００３４】
このように、この梱包箱によれば、１枚のシート部材に設けられた四角形状の底部１の四辺に対し第１〜第４側部２〜５をほぼ垂直に折り曲げて起立させ、この状態で第１〜第４側部２〜５および蓋部６を第１、第２折り目線８、９のいずれか一方で折り曲げて箱状に形成するときに、折り曲げ位置を変更するための第１、第２折り目線８、９が、第１〜第４側部２〜５と蓋部６とにそれぞれ一定間隔Ｓ１で底部１の各辺に対し平行に設けているので、この第１、第２折り目線８、９のうち、梱包品の厚みに対応する第１、第２折り目線８、９のいずれかを選択することができる。
【００３５】
このとき、例えば商品の厚みが薄くて第１折り目線８に対応する場合には、その第１折り目線８で第１〜第４側部２〜５を折り曲げれば、図６に示すように、商品の厚み応じて厚みの薄い梱包箱が得られる。また、商品の厚みが厚くて第２折り目線９に対応する場合には、その第２折り目線９で第１〜第４側部２〜５を折り曲げれば、図８に示すように、商品の厚み応じて厚みの厚い梱包箱が得られる。このように、第１、第２折り目線８、９のいずれかで第１〜第４側部２〜５および蓋部６を折り曲げることにより、箱の厚みを変えることができる。このため、商品の厚みが異なっても１つの梱包箱で兼用することができ、これにより梱包箱の管理およびその製作を簡素化することができる。
【００３６】
この場合、蓋部６の先端側の辺部に差込み部１２が設けられ、この差込み部１２が側面部１２ａと差込み片１２ｂとを有し、且つ第３側部４側に位置する底部１には舌片部１０が設けられていると共に、第３側部４における舌片部１０の両側には差込み係止孔１１が設けられていることにより、四角形状の底部１の四辺に対し第１〜第４側部２〜５をほぼ垂直に折り曲げて起立させた上、この第１〜第４側部２〜５および蓋部６を第１、第２折り目線８、９のいずれか一方で折り曲げて箱状に形成し、この状態で蓋部６の先端側に設けられた差込み部１２の差込み片１２ｂを、第３側部４に設けられた差込み係止孔１１に差し込んで、底部１の舌片部１０を差込み片１２ｂの第１、第２舌係止孔１３、１４のいずれかに挿入することにより、蓋部６を底部１に対し固定することができる。
【００３７】
このときには、商品の厚みに応じて差込み部１２の第１、第２差込み折り目線１５、１６を選択して差込み部１２を折り曲げると共に、第１、第２舌係止孔１３、１４を選択して舌片部１０を挿入すれば良い。すなわち、商品の厚みが薄くて第１折り目線８で第１〜第４側部２〜５を折り曲げた場合には、差込み片１２ｂを第１舌係止孔１３に位置する第１差込み折り目線１５で折り曲げて第３側部４の差込み係止孔１１に差し込み、この差込み片１２ｂの第１舌係止孔１３に底部１の舌片部１０を挿入すれば良い。また、商品の厚みが厚くて第２折り目線９で第１〜第４側部２〜５を折り曲げた場合には、差込み片１２ｂを第２舌係止孔１４に位置する第２差込み折り目線１６で折り曲げて第３側部４の差込み係止孔１１に差し込み、この差込み片１２ｂの第２舌係止孔１４に底部１の舌片部１０を挿入すれば良い。
【００３８】
このように、第１、第２折り目線８、９のいずれかを選択して第１〜第４側部２〜５および蓋部６を折り曲げることにより、箱の厚みを変えた場合には、箱の厚みに応じて差込み部１２の第１、第２差込み折り目線１５、１６および第１、第２舌係止孔１３、１４をそれぞれ選択することにより、箱の厚みに応じて差込み部１２を第１、第２差込み折り目線１５、１６のいずれかで折り曲げて第３側部４の差込み係止孔１１に差し込むことができると共に、底部１の舌片部１０を差込み部１２の第１、第２舌係止孔１３、１４のいずれかに挿入させることができる。これにより、箱の厚みを変えても、蓋部６を底部１に対し確実に固定することができる。
【００３９】
なお、上記実施形態１では、第１〜第４側部２〜５および蓋部６に、それぞれ第１、第２折り目線８、９を所定間隔Ｓ１で設け、差込み部１２に第１、第２舌係止孔１３、１４および第１、第２差込み折り目線１５、１６をそれぞれ所定間隔Ｓ２で設けた場合について述べたが、これに限らず、第１〜第４側部２〜５および蓋部６に、それぞれ３つ以上の折り目線を所定間隔Ｓ１で設け、差込み部１２に３つ以上の舌係止孔および３つ以上の差込み折り目線をそれぞれ所定間隔Ｓ２で設けても良い。このように構成すれば、箱の厚みを３段階以上に変えることができ、より一層、商品の厚みの変化に対応することができる。
【００４０】
（実施形態２）
次に、図９〜図１４を参照して、この発明を適用した梱包用スペーサの一実施形態について説明する。
図９はこの発明の梱包用スペーサの展開図、図１０〜図１２はその梱包用スペーサを組立てる状態を示した各斜視図、図１３および図１４はそれぞれ厚みを変えた状態の梱包用スペーサを示した各斜視図である。
この梱包用スペーサ２０は、図１３および図１４に示すように、梱包箱２１に収納される商品（図示せず）の空き空間を埋めて商品を保持するためのものである。
【００４１】
すなわち、この梱包用スペーサ２０は、段ボールや厚紙、または合成樹脂製のフィルムなどの１枚のシート部材に、図９に示すように、梱包箱２１内の底部に配置される大きさの四角形状の本体部２２と、この本体部２２の左右辺にそれぞれ折り曲がり可能に設けられた第１、第２台座部２３、２４と、本体部２２の前後辺における各両側部にそれぞれ折り曲げ可能に設けられた第１〜第４可変載置部２５〜２８と、本体部２２の前後辺の第１〜第４可変載置部２５〜２８間に位置する中間部にそれぞれ折り曲げ可能に設けられた第３、第４台座部２９、３０とを設けた構成になっている。
【００４２】
本体部２２の左右両側に位置する第１、第２台座部２３、２４は、図９に示すように、本体部２２の左右辺にそれぞれ折り曲げ可能に設けられた第１立上り部２３ａ、２４ａと、この第１立上り部２３ａ、２４ａにそれぞれ折り曲げ可能に設けられた固定載置部２３ｂ、２４ｂと、この固定載置部２３ｂ、２４ｂにそれぞれ折り曲げ可能に設けられた第２立上り部２３ｃ、２４ｃと、この第２立上り部２３ｃ、２４ｃにそれぞれ折り曲げ可能に設けられた底板部２３ｄ、２４ｄとを有し、図１０に示すように、これらが断面長方形の平筒状に折り曲げられるように構成されている。
【００４３】
この場合、第１、第２台座部２３、２４の各上面に位置する固定載置部２３ｂ、２４ｂには、後述する第１〜第４可変載置部２５〜２８に対応する４組の第１、第２位置規制孔３１、３２がそれぞれ所定間隔Ｓ３で設けられている。すなわち、４組の第１、第２位置規制孔３１、３２のうち、４つの第１位置規制孔３１は、固定載置部２３ｂ、２４ｂの各端部から第１〜第４可変載置部２５〜２８の長さとほぼ同じ長さだけ離れた位置にそれぞれ設けられている。また、第２位置規制孔３２は、第１位置規制孔３１から固定載置部２３ｂ、２４ｂの各端部に向けて所定間隔Ｓ３の長さだけ離れた位置にそれぞれ設けられている。
【００４４】
第１〜第４可変載置部２５〜２８は、本体部２２の前後辺にそれぞれ折り曲げ可能に設けられた側面部３３、３４と、この側面部３３、３４の先端辺における両側にそれぞれ折り曲げ可能に設けられた第１〜第４載置板２５ａ〜２８ａと、この第１〜第４載置板２５ａ〜２８ａの各先端部にそれぞれ設けられて第１、第２台座部２３、２４の第１、第２位置規制孔３１、３２のいずれかに挿入する第１〜第４係合片２５ｂ〜２８ｂとを有し、図１３および図１４に示すように、第１〜第４載置板２５ａ〜２８ａが第１、第２台座部２３、２４の各上面に折り曲げられて配置されるように構成されている。
【００４５】
この場合、第１〜第４載置板２５ａ〜２８ａは、その幅が第１、第２台座部２３、２４の各固定載置部２３ｂ、２４ｂの幅とほぼ同じ長さで、その長手方向の長さが各固定載置部２３ｂ、２４ｂのほぼ半分程度の長さに形成されている。また、この第１〜第４載置板２５ａ〜２８ａの両側には、第１〜第４載置板２５ａ〜２８ａの折り曲げ位置を変更して、第１、第２台座部２３、２４上に配置される第１〜第４載置板２５ａ〜２８ａの高さを変えるための第１、第２折り目線３５、３６がそれぞれ設けられている。
【００４６】
この第１、第２折り目線３５、３６のうち、第１折り目線３５は、図９に示すように、側面部３３、３４の各辺部に対応する第１〜第４載置板２５ａ〜２８ａの各基端部と、第１〜第４係合片２５ｂ〜２８ｂの各辺部に対応する第１〜第４載置板２５ａ〜２８ａの各先端部とに位置する個所にそれぞれ設けられている。また、第２折り目線３６は、第１折り目線３５から所定間隔Ｓ４だけ離れて設けられている。すなわち、第１、第２折り目線３５、３６の間隔Ｓ４は、第１、第２位置規制孔３１、３２の所定間隔Ｓ３の半分の長さ（Ｓ４＝Ｓ３÷２）に設定されている。
【００４７】
この場合、第１〜第４載置板２５ａ〜２８ａの各基端部側に位置する第２折り目線３６は、第１〜第４載置板２５ａ〜２８ａの各基端部に位置する第１折り目線３５から第１〜第４載置板２５ａ〜２８ａの各先端側に向けて間隔Ｓ４だけ離れて設けられている。また、第１〜第４載置板２５ａ〜２８ａの各先端部側に位置する第２折り目線３６は、第１〜第４載置板２５ａ〜２８ａの各先端部に位置する第１折り目線３５から第１〜第４載置板２５ａ〜２８ａの各基端側に向けて間隔Ｓ４だけ離れて設けられている。
【００４８】
ところで、本体部２２の前後辺に設けられた第３、第４台座部２９、３０のうち、本体部２２の前辺側に位置する第３台座部２９は、図９および図１０に示すように、第１、第２可変載置部２５、２６に共通の側面部３３に折り曲げ可能に設けられた上面部２９ａと、この上面部２９ａに折り曲げ可能に設けられた奥側部２９ｂと、この奥側部２９ｂに折り曲げ可能に設けられた底板部２９ｃと、この底板部２９ｃに折り曲げ可能に設けられた前側部２９ｄと、この前側部２９ｄに折り曲げ可能に設けられた折込み部２９ｅとを有している。
【００４９】
これにより、第３台座部２９は、図１１に示すように、折込み部２９ｅを前側部２９ｄで底板部２９ｃの内面に折り曲げ、この底板部２９ｃを奥側部２９ｂで折り曲げて上面部２９ａの内面に対向させ、この上面部２９ａを側面部３３で折り曲げることにより、図１２に示すように、本体部２２の左右両側の上面に配置された第１、第２台座部２３、２４間に配置される。この場合には、底板部２９ｃが本体部２２の前側上面に配置され、この底板部２９ｃの上方に上面部２９ａが、側面部３３および奥側部２９ｂで支持された状態で、第１、第２台座部２３、２４の各固定載置部２３ｂ、２４ｂと同じ高さで配置される。
【００５０】
また、本体部２２の後辺側に位置する第４台座部３０は、図９および図１０に示すように、第３、第４可変載置部２７、２８に共通の側面部３４に折り曲げ可能に設けられた上面部３０ａと、この上面部３０ａに折り曲げ可能に設けられた奥側部３０ｂと、この奥側部３０ｂに折り曲げ可能に設けられて三角形の筒状に折り曲げられる脚部３８とを有している。この場合、脚部３８は、奥側部３０ｂに折り曲げ可能に設けられた底面部３８ａと、この底面部３８ａの両側にそれぞれ折り曲げ可能に設けられた一対の斜面部３８ｂ、３８ｃとを有し、一方の斜面部３８ｂの先端部に突起部３８ｄが設けられ、他方の斜面部３８ｃの先端部に係合凹部３８ｅが設けられた構成になっている。
【００５１】
この第４台座部３０は、図１１に示すように、脚部３８の一対の斜面部３８ｂ、３８ｃを底面部３８ａの上方に向けて折り曲げ、一方の斜面部３８ｂの突起部３８ｄを他方の斜面部３８ｃの係合凹部３８ｅに係合させて、三角形状に折り曲げられた脚部３８を形成し、この脚部３８の底面部３８ａを奥側部３０ｂで折り曲げて、脚部３８の稜線を上面部３０ａの内面に当接させ、この上面部２９ａを更に側面部３３で折り曲げることにより、図１２に示すように、本体部２２の左右両側の上面に配置された第１、第２台座部２３、２４間に配置される。この場合には、脚部３８の底面部３８ａが本体部２２の後側上面に配置され、上面部３０ａが、脚部３８、側面部３３および奥側部３０ｂで上方に支持された状態で、第１、第２台座部２３、２４の各固定載置部２３ｂ、２４ｂと同じ高さで配置される。
【００５２】
次に、図１０〜図１４を参照して、この梱包用スペーサ２０を組立てる場合について説明する。
まず、図１０に示すように、本体部２２の左右両側の第１、第２台座部２３、２４を断面長方形の平筒状に折り曲げて、本体部２２の左右両側の上面に配置する。すなわち、底板部２３ｄ、２４ｄを第２立上り部２３ｃ、２４ｃに対しそれぞれ折り曲げ、この第２立上り部２３ｃ、２４ｃを固定載置部２３ｂ、２４ｂに対しそれぞれ折り曲げ、この固定載置部２３ｂ、２４ｂを第１立上り部２３ａ、２４ａに対しそれぞれ折り曲げると、全体が平筒状をなし、その底板部２３ｄ、２４ｄが本体部２２の左右両側上面にそれぞれ配置され、固定載置部２３ｂ、２４ｂが第１、第２立上り部２３ａ、２４ａ、２３ｃ、２４ｃで支持されて底板部２３ｄ、２４ｄの上方にそれぞれ配置される。
【００５３】
この後、図１１および図１２に示すように、本体部２２の前後辺側の第３、第４台座部２９、３０を折り曲げて、本体部２２の左右両側に配置された第１、第２台座部２３、２４間にそれぞれ配置する。すなわち、本体部２２の前部側に位置する第３台座部２９は、図１１に示すように、折込み部２９ｅを前側部２９ｄで底板部２９ｃの内面に折り曲げ、この底板部２９ｃを奥側部２９ｂで折り曲げて上面部２９ａの内面に対向させ、この上面部２９ａを側面部３３で折り曲げる。これにより、第３台座部２９は、図１２に示すように、本体部２２の左右両側の上面に配置された第１、第２台座部２３、２４間に配置される。このときには、底板部２９ｃが本体部２２の前側上面に配置され、この底板部２９ｃの上方に上面部２９ａが、側面部３３および奥側部２９ｂで支持された状態で、第１、第２台座部２３、２４の各固定載置部２３ｂ、２４ｂと同じ高さで配置される。
【００５４】
また、本体部２２の後部側に位置する第４台座部３０は、図１１に示すように、脚部３８の一対の斜面部３８ｂ、３８ｃを底面部３８ａの上方に向けて折り曲げ、一方の斜面部３８ｂの突起部３８ｄを他方の斜面部３８ｃの係合凹部３８ｅに係合させて、三角形状に折り曲げられた脚部３８を形成し、この脚部３８の底面部３８ａを奥側部３０ｂで折り曲げると共に、この奥側部３０ｃを折り曲げて脚部３８の稜線を上面部３０ａの内面に当接させ、この上面部２９ａを側面部３３で折り曲げる。これにより、第４台座部３０は、図１２に示すように、本体部２２の左右両側の上面に配置された第１、第２台座部２３、２４間に配置される。この場合には、脚部３８の底面部３８ａが本体部２２の後側上面に配置され、上面部３０ａが、脚部３８、側面部３３および奥側部３０ｂで上方に支持された状態で、第１、第２台座部２３、２４の各固定載置部２３ｂ、２４ｂと同じ高さで配置される。
【００５５】
この場合、第３、第４台座部２９、３０が、第１、第２台座部２３、２４間に配置されると、これに伴って第１〜第４可変載置部２５〜２８の側面部３３、３４でが体部２２に対し折り曲げられて、第１〜第４載置板２５ａ〜２８ａが図１２に示すように起立する。この状態で、起立した第１〜第４載置部２５ａ〜２８ａおよび第１〜第４係合片２５ｂ〜２８ｂをそれぞれ第１、第２折り目線３５、３６のいずれかで折り曲げて、第１、第２台座部２３、２４上に配置する。このとき、梱包箱２１内に収納される商品、例えば電子式卓上計算機やその取扱い説明書などの商品全体の厚みが厚く、梱包箱２１内における商品の空き空間が狭い場合には、第１、第２折り目線３５、３６のうち、狭い空き空間に対応する第１折り目線３５で第１〜第４載置板２５ａ〜２８ａおよび第１〜第４係合片２５ｂ〜２８ｂを折り曲げる。
【００５６】
すなわち、第１〜第４載置板２５ａ〜２８ａおよび第１〜第４係合片２５ｂ〜２８ｂをそれぞれ第１折り目線３５で折り曲げると、第１〜第４載置板２５ａ〜２８ａがそれぞれ第１、第２台座部２３、２４の上面に密接して配置される。このときには、第１載置板２５ａが第１台座部２３の固定載置部２３ｂの手前側上面に配置され、第２載置板２６ａが第２台座部２４の固定載置部２４ｂの手前側上面に配置され、第３載置板２７ａが第１台座部２３の固定載置部２３ｂの後側上面に配置され、第４載置板２８ａが第２台座部２４の固定載置部２４ｂの後側上面に配置される。
【００５７】
この状態では、第１〜第４載置部２５ａ〜２８ａに対し第１折り目線３５で折り曲げられた第１〜第４係合片２５ｂ〜２８ｂが、第１、第２台座部２３、２４の各固定載置部２３ｂ、２４ｂに設けられた４組の第１、第２位置規制孔３１、３２のうち、各固定載置部２３ｂ、２４ｂの端部から遠くに離れた第１位置規制孔３１に対応し、この第１位置規制孔３１にそれぞれ差込まれる。これにより、第１〜第４載置板２５ａ〜２８ａが第１、第２台座部２３、２４の各固定載置部２３ｂ、２４ｂ上に固定される。このため、この梱包用スペーサ２０は、図１３に示すように、その厚みがＴ３となり、全体が薄く形成される。
【００５８】
一方、電子式卓上計算機やその取扱い説明書などの商品全体の厚みが薄く、梱包箱２１内の空き空間が広い場合には、第１、第２折り目線３５、３６のうち、広い空き空間に対応する第２折り目線３６で第１〜第４載置板２５ａ〜２８ａおよび第１〜第４係合片２５ｂ〜２８ｂをそれぞれ折り曲げる。すなわち、第１〜第４載置板２５ａ〜２８ａをそれぞれ第２折り目線３６で折り曲げると、図１４に示すように、第１〜第４載置板２５ａ〜２８ａがそれぞれ第１、第２台座部２３、２４の上方に第１、第２折り目線３５、３６の間隔Ｓ４の高さで配置される。
【００５９】
このときには、第１〜第４載置部２５ａ〜２８ａに対し第２折り目線３６で折り曲げられた第１〜第４係合片２５ｂ〜２８ｂが、第１、第２台座部２３、２４の各固定載置部２３ｂ、２４ｂに設けられた４組の第１、第２位置規制孔３１、３２のうち、各固定載置部２３ｂ、２４ｂの端部側に近い第２位置規制孔３２に対応し、この第２位置規制孔３２にそれぞれ差込まれて、第１〜第４係合片２５ｂ〜２８ｂの各先端が第１、第２台座部２３、２４内の底面に当接する。これにより、第１〜第４載置板２５ａ〜２８ａが第１、第２台座部２３、２４の各固定載置部２３ｂ、２４ｂの上方に第１、第２折り目線３５、３６の間隔Ｓ４の高さで支持される。このため、この梱包用スペーサ２０は、図１４に示すように、その厚みがＴ４となり、全体が厚く形成される。
【００６０】
このように、この梱包用スペーサ２０によれば、１枚のシート部材に設けられた四角形状の本体部２２の左右両側上面に第１、第２台座部２３、２４を折り曲げて配置すると共に、この本体部２２の前後辺に設けられた第１〜第４の可変載置部２５〜２８をそれぞれ第１、第２折り目線３５，３６のいずれかで折り曲げて第１、第２台座部２３、２４上に配置し、この状態で第１〜第４可変載置部２５〜２８の各先端部の第１〜第４係合片２５ｂ〜２８ｂを第１、第２台座部２３、２４の第１、第２位置規制孔３１、３２のいずれかに差し込むことにより、第１、第２台座部２３、２４上に配置された第１〜第４載置板２５ａ〜２８ａの上面に商品を配置することができ、これにより商品の重量を第１〜第４可変載置部２５〜２８の各平面で受け止めることができるので、商品を安定した状態で良好に保持することができる。
【００６１】
この場合、第１〜第４可変載置部２５〜２８には、折り曲げ位置を変更するための第１、第２折り目線３５、３６がそれぞれ所定間隔Ｓ４で設けられていると共に、第１、第２台座部２３、２４には、第１〜第４可変載置部２５〜２８の第１〜第４係合片２５ｂ〜２８ｂが挿入する第１、第２位置規制孔３１、３２が所定間隔Ｓ３で４組設けられているので、梱包箱２１に収納される商品の空き空間に応じて第１、第２折り目線３５、３６のいずれかを選択することができ、これに伴って第１〜第４係合片２５ｂ〜２８ｂが差込まれる第１、第２位置規制孔３１、３２のいずれかを選択することができる。これにより、第１、第２台座部２３、２４上に配置される第１〜第４可変載置部２５〜２８の高さを、第１、第２折り目線３５、３６によって変更することができるので、梱包箱２１に収納する商品の空き空間を良好に埋めることができる。
【００６２】
この場合、第１、第２台座部２３、２４は、本体部２２の両側部にそれぞれ折り曲げ可能に設けられた第１立上り部２３ａ、２４ａと、この第１立上り部２３ａ、２４ａにそれぞれ折り曲がり可能に設けられた固定載置部２３ｂ、２４ｂと、この固定載置部２３ｂ、２４ｂにそれぞれ折り曲がり可能に設けられた第２立上り部２３ｃ、２４ｃと、この第２立上り部２３ｃ、２４ｃにそれぞれ折り曲がり可能に設けられた底板部２３ｄ、２４ｄとを有しているので、第１、第２台座部２３、２４を強固に形成することができると共に、この第１、第２台座部２３、２４内に空間を形成することができる。
【００６３】
このため、固定載置部２３ｂ、２４ｂに設けられた４組の第１、第２位置規制孔３１、３２のいずれかに、第１〜第４可変載置部２５〜２８の第１〜第４係合片２５ｂ〜２８ｂを差し込むことにより、第１〜第４可変載置部２５〜２８を強固に固定することができると共に、第１〜第４可変載置部２５〜２８の第１〜第４係合片２５ｂ〜２８ｂが第１、第２台座部２３、２４内の空間に挿入されるので、第１〜第４係合片２５ｂ〜２８ｂが邪魔にならないばかりか、第１〜第４係合片２５ｂ〜２８ｂが第１、第２台座部２３、２４内に底板部２３ｄ、２４ｄに当接することにより、第１〜第４載置板２５ａ〜２８ａの高さが変化しないように、確実に且つ強固に第１〜第４可変載置部２５〜２８を保持することができる。
【００６４】
なお、上記実施形態２では、第１〜第４可変載置部２５〜２８に第１、第２折り目線３５、３６を所定間隔Ｓ４で設け、第１、第２台座部２３、２４に第１、第２位置規制孔３１、３２をそれぞれ所定間隔Ｓ３で４組設けた場合について述べたが、これに限らず、第１〜第４可変載置部２５〜２８にそれぞれ３つ以上の折れ目線をそれぞれ所定間隔Ｓ４で設け、第１、第２台座部２３、２４に３つ以上の位置規制孔をそれぞれ所定間隔Ｓ３で４組設けても良い。このように構成すれば、梱包用スペーサ２０の厚みを３段階以上に変えることができ、より一層、こまやかに空き空間を埋めることができる。
【００６５】
また、上記実施形態２では、第１、第２台座部２３、２４間に配置される第３、第４台座部２９、３０がそれぞれ異なる構成になっている場合について述べたが、これに限らず、本体部２２の前後両側に第３台座部２９と同じ構成の台座部をそれぞれ設けた構成でも良く、また本体部２２の前後両側に第４台座部３０と同じ構成の台座部をそれぞれを設けた構成でも良い。
【００６６】
更に、上記実施形態１、２では、商品として、電子式卓上計算機およびその取扱い説明書を用いた場合について述べたが、これに限らず、他の電気製品でも良く、また電気製品に限らず、梱包を必要とする品物であれば、どのような物であっても良い。
【図面の簡単な説明】
【００６７】
【図１】この発明を適用した梱包箱の展開図である。（実施形態１）
【図２】図１の底部に対し左右両側の第１、第２側部を折り曲げて起立させた状態を示した斜視図である。
【図３】図２の状態で底部に対し前後の第３、第４側部を折り曲げて起立させた状態を示した斜視図である。
【図４】図３の状態で第１〜第３側部を第１折り目線で折り曲げた状態を示した斜視図である。
【図５】図４の状態で第４側部および蓋部を第１折り目線で折り曲げて蓋部を底部の上方に対向させた状態を示した斜視図である。
【図６】図５の状態で差込み部を第１差込み折り目線で折り曲げて第１側部の差込み係止孔に差込んだ状態を示した斜視図である。
【図７】図３の状態で第１〜第４側部および蓋部を第２折り目線で折り曲げて蓋部を底部の上方に対向させた状態を示した斜視図である。
【図８】図７の状態で差込み部を第２差込み折り目線で折り曲げて第１側部の差込み係止孔に差込んだ状態を示した斜視図である。
【図９】この発明を適用した梱包用スペーサの展開図である。（実施形態２）
【図１０】図９の本体部の左右両側に第１、第２台座部を折り曲げて配置した状態を示した斜視図である。
【図１１】図１０の状態で前部側の第３台座部を途中まで折り曲げ、且つ後部側の第４台座部の脚部を三角形状に折り曲げた状態を示した斜視図である。
【図１２】図１１の第３、第４台座部を折り曲げて第１、第２台座部間に配置すると共に第１〜第４可変載置部を起立させた状態を示した斜視図である。
【図１３】図１２の状態で第１〜第４可変載置部を第１折り目線で折り曲げて第１、第２台座部上に低く配置した状態を示した斜視図である。
【図１４】図１２の状態で第１〜第４可変載置部を第２折り目線で折り曲げて第１、第２台座部上に高く配置した状態を示した斜視図である。
【符号の説明】
【００６８】
１  底部
２〜５  第１〜第４側部
６  蓋部
８、９  第１、第２折り目線
１０  舌片部
１１  差込み係止孔
１２  差込み部
１３、１４  第１、第２舌係止孔
１５、１６  第１、第２差込み折り目線
Ｓ１  第１、第２折り目線の間隔
Ｓ２  第１、第２差込み折り目線の間隔
Ｔ１、Ｔ２  梱包箱の高さ
２０  梱包用スペーサ
２１  梱包箱
２２  本体部
２３、２４  第１、第２台座部
２３ａ、２４ａ  第１立上り部
２３ｂ、２４ｂ  固定載置部
２３ｃ、２４ｃ  第２立上り部
２３ｄ、２４ｄ  底面部
２５〜２８  第１〜第４可変載置部
２５ａ〜２８ａ  第１〜第４載置板
２５ｂ〜２８ｂ  第１〜第４係合片
２９、３０  第３、第４台座部
３１、３２  第１、第２位置規制孔
３３、３４  側面部
３５、３６  第１、第２折り目線
Ｓ３  第１、第２位置規制孔の間隔
Ｓ４  第１、第２折り目線の間隔
Ｔ３、Ｔ４  梱包用スペーサの厚み
【図１】
2008013218.tif 000003
【図２】
2008013218.tif 000004
【図３】
2008013218.tif 000005
【図４】
2008013218.tif 000006
【図５】
2008013218.tif 000007
【図６】
2008013218.tif 000008
【図７】
2008013218.tif 000009
【図８】
2008013218.tif 000010
【図９】
2008013218.tif 000011
【図１０】
2008013218.tif 000012
【図１１】
2008013218.tif 000013
【図１２】
2008013218.tif 000014
【図１３】
2008013218.tif 000015
【図１４】
2008013218.tif 000016